(57)【要約】【課題】従来、自転車の車輪に泥除けを設けることは知られているが、泥除けだけでは、水溜まりなどで車輪の跳ね上げる泥や水から運転者を守りきれない場合が多々あり、また、風雨が少し強い場合には、下から吹き上げる風雨により足が濡れてしまうことが多々あった。【解決手段】自転車の車体１に床板１０を設けてなる床付自転車装置。【選択図】　　　　　　　図１
2004082748.tif 000002
【特許請求の範囲】
【請求項１】
自転車の車体に床板を設けてなる床付自転車装置。
【請求項２】
請求項１に記載の床付自転車装置において、床板に足踏孔を設けてなる床付自転車装置。
【請求項３】
請求項２に記載の床付自転車装置において、足踏孔に開閉床板を設けてなる床付自転車装置。
【請求項４】
請求項３に記載の床付自転車装置において、開閉床板がスライド式床板からなる床付自転車装置。
【請求項５】
請求項３に記載の床付自転車装置において、開閉床板がヒンジ式床板からなる床付自転車装置。
【請求項６】
請求項５に記載の床付自転車装置において、ヒンジ式床板に開き状態で接地する接地部を設けてなる床付自転車装置。
【請求項７】
請求項１乃至６のいずれかに記載の床付自転車装置において、床板をペダルの下側に設けてなる床付自転車装置。
【請求項８】
請求項１乃至７のいずれかに記載の床付自転車装置において、床板の前方又は後方に前輪又は後輪の泥除用の起立板部を設けてなる床付自転車装置。
【請求項９】
請求項１乃至８のいずれかに記載の床付自転車装置において、床板の上方に運転者のほぼ全体を覆うカバー体を床板と一体に設けてなる床付自転車装置。
【請求項１０】
請求項１乃至９のいずれかに記載の床付自転車装置において、自転車本体が三輪以上の車輪を備えることからなる床付自転車装置。
【発明の詳細な説明】
【０００１】
【発明の属する技術分野】
本発明は床付自転車装置に関する。
【０００２】
【従来の技術】
従来、自転車の車輪に泥除けを設けることは知られている。
【０００３】
【発明が解決しようとする課題】
然るに泥除けだけでは、水溜まりなどで車輪の跳ね上げる泥や水から運転者を守りきれない場合が多々あり、また、風雨が少し強い場合には、下から吹き上げる風雨により足が濡れてしまうことが多々あった。
【０００４】
【課題を解決するための手段】
そこで、本発明は、請求項１に記載のように、自転車の車体に床板を設けてなる床付自転車装置を提供するものである。
本発明によれば、車体に設けた床板で、足下から来る車輪による泥や水や風雨等を防御することができる。
【０００５】
また、本発明は、請求項２に記載のように、請求項１に記載の床付自転車装置において、床板に足踏孔を設けてなる床付自転車装置を提供するものである。
本発明によれば、床板に設けた足踏孔から地面に足を付くことができ、自転車に座りながら、足で自転車を制動したり、支えたり、前後に動かしたり制御することができる。
【０００６】
また、本発明は、請求項３に記載のように、請求項２に記載の床付自転車装置において、足踏孔に開閉床板を設けてなる床付自転車装置を提供するものである。
本発明によれば、開閉床板により必要に応じて足踏孔を開閉することができ、風雨をしのいだり、足で自転車を制御したりすることができる。
【０００７】
また、本発明は、請求項４に記載のように、請求項３に記載の床付自転車装置において、開閉床板がスライド式床板からなる床付自転車装置を提供するものである。
本発明によれば、開閉床板をスライドさせて足踏孔を開放することができる。
【０００８】
また、本発明は、請求項５に記載のように、請求項３に記載の床付自転車装置において、開閉床板がヒンジ式床板からなる床付自転車装置を提供するものである。
本発明によれば、開閉床板を踏み付けることによってヒンジ式に開放し、接地する開閉床板を介して自転車を制動したり、支えたり、制御することができる。
【０００９】
また、本発明は、請求項６に記載のように、請求項５に記載の床付自転車装置において、ヒンジ式床板に開き状態で接地する制動部を設けてなる床付自転車装置を提供するものである。
本発明によれば、ヒンジ式床板に開き状態で制動部を接地することにより制動することができる。
【００１０】
また、本発明は、請求項７に記載のように、請求項１乃至６のいずれかに記載の床付自転車装置において、床板をペダルの下側に設けてなる床付自転車装置を提供するものである。
本発明によれば、床板の上方でペダルを踏むことができるから、足を風雨等から確実に防御することができる。
【００１１】
また、本発明は、請求項８に記載のように、請求項１乃至７のいずれかに記載の床付自転車装置において、床板の前方又は後方に前輪又は後輪の泥除用の起立板部を設けてなる床付自転車装置を提供するものである。
本発明によれば、床板に設けた起立板部によって前輪又は後輪の泥除けをすることができる。
【００１２】
また、本発明は、請求項９に記載のように、請求項１乃至８のいずれかに記載の床付自転車装置において、床板の上方に運転者のほぼ全体を覆うカバー体を床板と一体に設けてなる床付自転車装置を提供するものである。
本発明によれば、降雨、寒風、砂塵、その他の悪天候、悪環境の場所においては、運転者のほぼ全体を覆う床板とカバー体により、接触するのが望ましくない悪条件を避けて移動走行することができる
【００１３】
また、本発明は、請求項１０に記載のように、請求項１乃至９のいずれかに記載の床付自転車装置において、自転車本体が三輪以上の車輪を備えることからなる床付自転車装置を提供するものである。
本発明によれば、三輪以上の車輪により自転車本体が転倒することがなく、安定して走行することができる。
【００１４】
【発明の実施の形態】
以下図示する実施例に基づいて本発明の実施の形態を説明する。
図１に記載の実施例において、１は自転車の車体で、太いパイプ状の中心シャーシー２の前部には、ハンドル軸受４によってハンドル３とフロントフォーク５と前輪６が一体に回転するように軸受されている一方、後部７には、二股状の後部フォーク８を介して二個の後輪９が設けてある。中心シャーシー２の後部７上にはシート１１が設けてある。１１は車体及び運転者のほぼ全体を覆うカバー体である。１２は図では省略したチェーンを介して後輪９の回転軸を回転駆動する足踏式のペダルである。
【００１５】
中心シャーシー２には、床板１０を取り付けるため、前後の底部シャーシー１３によって左右の底部シャーシー１４が一体に固定してある。左右の底部シャーシー１４には、固定金具１５が一体に固定してあり、固定金具１５上に固定ねじ１６により固定床板１７が一体に固定してある。固定床板１７は、図２に記載のように、中央部に中心シャーシー２の下側を迂回する屈曲部１８を具備すると共に、左右に固定枠部１９を一体に具備している。
なお、前記カバー体１１は底部シャーシー１３，１４に一体に取り付けてある。
【００１６】
固定床板１７には、足踏孔２１が設けてあり、開閉床板２０により開閉自在の覆われている。
図１乃至図３の実施例の場合、開閉床板２０はスライド式に固定床板１７上をスライドするように、中心シャーシー２に沿って屈曲部１８に嵌合する凹部２２と、その両側に固定枠部１９に接する起立枠部２３を具備しており、図１に記載のように、足踏孔２１を覆う位置から矢標方向にスライドして開放し、運転者は座ったまま足踏孔２１に足を突っ込んで地面に接地させ、自転車を停止したり動かしたり制御することができる。また、反矢標方向にスライドして足踏孔２１を覆うことにより、泥除け風雨避けができるように構成してある。２４はスライド操作用の操作突起である。
【００１７】
次に、図４又は図５に記載の実施例の場合、固定床板１７の足踏孔２１の下側には、ヒンジ２５により開閉床板３０が開閉自在に設けてあり、図４に示すように、足２６を乗せると、図５において破線で示すように、開閉床板３０がヒンジ２５を中心に回動して開放端部３１が地面Ｇに接地して自転車を制動し停止させることができる。なお、自転車は図４において矢標方向、図５において左方向に進むように構成してある。
【００１８】
また、ヒンジ部２５には、下側に板ばね２７が設けてあり、常時は開閉床板３０が閉じており、板ばね２７に抗して踏みつけて開放し、足を上げれば元の閉鎖位置に復帰するように構成してある。
なお、足踏孔２１の大きさや個数、位置は適宜に設定することができると共に、開平床板２０も足踏孔２１毎に個々に設けることも可能であり、開平床板３０も２個の足踏孔２１を同時に開閉することができるように一体に連動する形態にすることも可能である。
【００１９】
【発明の効果】
以上の通り、本発明に係る床付自転車装置によれば、請求項１に記載のように、自転車の車体に床板を設けてなる構成を有することにより、車体に設けた床板で、足下から来る車輪による泥や水や、風雨等を防御することができる効果がある。
【００２０】
また、本発明は、請求項２に記載のように、請求項１に記載の床付自転車装置において、床板に足踏孔を設けてなる構成を有することにより、床板に設けた足踏孔から地面に直接又は間接に足を付くことができ、自転車に座りながら、足で自転車を制動したり、支えたり、前後に動かしたり制御することができる効果がある。
【００２１】
また、本発明は、請求項３に記載のように、請求項２に記載の床付自転車装置において、足踏孔に開閉床板を設けてなる構成を有することにより、開閉床板により必要に応じて足踏孔を開閉することができ、風雨をしのいだり、足で自転車を制御したりすることができる効果がある。
【００２２】
また、本発明は、請求項４に記載のように、請求項３に記載の床付自転車装置において、開閉床板がスライド式床板からなる構成を有することにより、開閉床板をスライドさせて足踏孔を開放することができる効果がある。
【００２３】
また、本発明は、請求項５に記載のように、請求項３に記載の床付自転車装置において、開閉床板がヒンジ式床板からなる構成を有することにより、開閉床板を踏み付けることによってヒンジ式に開放し、接地する開閉床板を介して自転車を制動したり、支えたり、制御することができる効果がある。
【００２４】
また、本発明は、請求項６に記載のように、請求項５に記載の床付自転車装置において、ヒンジ式床板に開き状態で接地する制動部を設けてなる構成を有することにより、ヒンジ式床板に開き状態で制動部を接地することにより制動することができる効果がある。
また、本発明は、請求項７に記載のように、請求項１乃至６のいずれかに記載の床付自転車装置において、床板をペダルの下側に設けてなる構成を有することにより、床板の上方でペダルを踏むことができるから、足を風雨等から確実に防御することができる効果がある。
【００２５】
また、本発明は、請求項８に記載のように、請求項１乃至７のいずれかに記載の床付自転車装置において、床板の前方又は後方に前輪又は後輪の泥除用の起立板部を設けてなる構成を有することにより、床板に設けた起立板部によって前輪又は後輪の泥除けをすることができる効果がある。
【００２６】
また、本発明は、請求項９に記載のように、請求項１乃至８のいずれかに記載の床付自転車装置において、床板の上方に運転者のほぼ全体を覆うカバー体を床板と一体に設けてなる構成を有することにより、降雨、寒風、砂塵、その他の悪天候、悪環境の場所においては、運転者のほぼ全体を覆う床板とカバー体により、接触するのが望ましくない悪条件を避けて移動走行することができる効果がある。
【００２７】
また、本発明は、請求項１０に記載のように、請求項１乃至９のいずれかに記載の床付自転車装置において、自転車本体が三輪以上の車輪を備えることからなる構成を有することにより、三輪以上の車輪により自転車本体が転倒することがなく、安定して走行することができる効果がある。
【図面の簡単な説明】
【図１】本発明に係る床付自転車装置の一実施例を示す概略斜視説明図。
【図２】その要部の中央縦断面図。
【図３】その要部の概略分解説明図。
【図４】その他の実施例の要部の一使用態様を示す概略説明図。
【図５】その要部の他の使用態様を示す概略断面説明図。
【符号の説明】
１　　　車体
２　　　中心シャーシー
３　　　ハンドル
４　　　ハンドル軸受
５　　　フロントフォーク
６　　　前輪
７　　　中心シャーシーの後部
８　　　後部フォーク
９　　　後輪
１０　　床板
１１　　カバー体
１２　　ペダル
１３　　底部シャーシー
１４　　底部シャーシー
１５　　固定金具
１６　　固定ねじ
１７　　固定床板
１８　　屈曲部
１９　　固定枠部
２０　　開閉床板
２１　　足踏孔
２２　　凹部
２３　　起立枠部
２４　　操作突起
２５　　ヒンジ
２６　　足
２７　　板ばね
３０　　開閉床板
【図１】
2004082748.tif 000003
【図２】
2004082748.tif 000004
【図３】
2004082748.tif 000005
【図４】
2004082748.tif 000006
【図５】
2004082748.tif 000007